(57)【要約】【課題】内部の記録手段に記録したコンテンツを自動的に可搬型記録媒体に複製することができる記録装置を提供する。【解決手段】可搬型記録媒体に対応付けられた記録領域を有する記録手段と、該記録手段の記録領域２２ａに記録されたコンテンツを可搬型記録媒体に複製する複製手段とを備える記録装置において、前記記録手段の残容量を検出する検出手段と、該検出手段が検出した残容量が所定量より少ないか否かを判定する判定手段とを備え、前記複製手段は、前記判定手段により残容量が所定量より少ないと判定された場合、前記記録領域２２ａに記録されたコンテンツを該記録領域２２ａに対応する可搬型記録媒体に複製するようにしてある。【選択図】図２
2012094221.tif 000002
【特許請求の範囲】
【請求項１】
可搬型記録媒体に対応付けられた記録領域を有する記録手段と、
該記録手段の記録領域に記録されたコンテンツを可搬型記録媒体に複製する複製手段と
を備える記録装置において、
前記記録手段の残容量を検出する検出手段と、
該検出手段が検出した残容量が所定量より少ないか否かを判定する判定手段と
を備え、
前記複製手段は、前記判定手段により残容量が所定量より少ないと判定された場合、前記記録領域に記録されたコンテンツを該記録領域に対応する可搬型記録媒体に複製するようにしてある
ことを特徴とする記録装置。
【請求項２】
前記複製手段は、前記記録領域に記録された特定のコンテンツを複製するようにしてある
ことを特徴とする請求項１に記載の記録装置。
【請求項３】
可搬型記録媒体の残容量を検出する残容量検出手段と、
該残容量検出手段が検出した可搬型記録媒体の残容量より少ない記録容量を有するコンテンツが、該可搬型記録媒体と対応する記録領域に記録されているか否かを判定する記録判定手段と
を備え、
前記複製手段は、前記記録判定手段により前記コンテンツが前記記録領域に記録されていると判定された場合、該コンテンツの内、特定のコンテンツを該記録領域に対応する可搬型記録媒体に複製するようにしてある
ことを特徴とする請求項２に記載の記録装置。
【請求項４】
前記特定のコンテンツは前記記録領域に記録された最も古いコンテンツである
ことを特徴とする請求項２又は請求項３に記載の記録装置。
【請求項５】
前記複製手段が前記コンテンツを前記可搬型記録媒体に複製する場合、前記記録領域から複製に係るコンテンツの一部を削除する手段
を備えることを特徴とする請求項１から請求項４までのいずれか一項に記載の記録装置。
【発明の詳細な説明】
【技術分野】
【０００１】
本発明は、コンテンツを記録媒体に記録する記録装置に関する。
【背景技術】
【０００２】
メモリ、ハードディスク等の記録手段を内部に備えた記録装置がある（例えば、特許文献１）。このような記録装置ならば、例えばＤＶＤ（Digital Versatile Disk）、ＢＤ（Blu-ray Disk、登録商標）等の可搬型記録媒体を挿入し忘れていても、放送番組等のコンテンツの予約録画に失敗することはない。もっとも内部に備えた記録手段の記録容量には限界があるため、ユーザは記録手段に記録したコンテンツを適宜可搬型記録媒体にダビングする必要がある。
【先行技術文献】
【特許文献】
【０００３】
【特許文献１】特開２００７−１８４０１３号公報
【発明の概要】
【発明が解決しようとする課題】
【０００４】
しかしながら、ＡＶ機器の操作が複雑化する傾向にある状況において、ダビング操作がわからない、ダビング操作は面倒だと感じるユーザ層が存在する。従って、極力ユーザの操作を必要としない記録装置が望ましい。
【０００５】
本発明は斯かる事情に鑑みてなされたものであり、その目的は、内部の記録手段に記録したコンテンツを自動的に可搬型記録媒体に複製することができる記録装置を提供することにある。
【課題を解決するための手段】
【０００６】
本願に係る記録装置は、可搬型記録媒体に対応付けられた記録領域を有する記録手段と、該記録手段の記録領域に記録されたコンテンツを可搬型記録媒体に複製する複製手段とを備える記録装置において、前記記録手段の残容量を検出する検出手段と、該検出手段が検出した残容量が所定量より少ないか否かを判定する判定手段とを備え、前記複製手段は、前記判定手段により残容量が所定量より少ないと判定された場合、前記記録領域に記録されたコンテンツを該記録領域に対応する可搬型記録媒体に複製するようにしてあることを特徴とする。
【０００７】
本願に係る記録装置では、可搬型記録媒体に対応付けられた記録領域を有する記録手段の残容量を検出する検出手段を備えている。記録装置は、検出手段が検出した残容量が所定量より少ない場合、記録領域に記録されたコンテンツを記録領域に対応する可搬型記録媒体に複製する複製手段を備えている。
【０００８】
本願に係る記録装置は、前記複製手段は、前記記録領域に記録された特定のコンテンツを複製するようにしてあることを特徴とする。
【０００９】
本願に係る記録装置では、複製手段は記録領域に記録された特定のコンテンツを複製する。
【００１０】
本願に係る記録装置は、可搬型記録媒体の残容量を検出する残容量検出手段と、該残容量検出手段が検出した可搬型記録媒体の残容量より少ない記録容量を有するコンテンツが、該可搬型記録媒体と対応する記録領域に記録されているか否かを判定する記録判定手段とを備え、前記複製手段は、前記記録判定手段により前記コンテンツが前記記録領域に記録されていると判定された場合、該コンテンツの内、特定のコンテンツを該記録領域に対応する可搬型記録媒体に複製するようにしてあることを特徴とする。
【００１１】
本願に係る記録装置では、可搬型記録媒体の残容量より少ない記録容量を有するコンテンツが、可搬型記録媒体と対応する記録領域に記録されている場合、複製手段はそのコンテンツの内、特定のコンテンツをその可搬型記録媒体に複製する。
【００１２】
本願に係る記録装置は、前記特定のコンテンツは前記記録領域に記録された最も古いコンテンツであることを特徴とする。
【００１３】
本願に係る記録装置では、特定のコンテンツは記録領域に記録された最も古いコンテンツである。
【００１４】
本願に係る記録装置は、前記複製手段が前記コンテンツを前記可搬型記録媒体に複製する場合、前記記録領域から複製に係るコンテンツの一部を削除する手段を備えることを特徴とする。
【００１５】
本願に係る記録装置では、複製手段により記録領域からその記録領域に対応する可搬型記録媒体へコンテンツが複製される場合、記録領域に記録された複製に係るコンテンツは、その一部が削除される。
【発明の効果】
【００１６】
本願に係る記録装置によれば、内部の記録手段に記録したコンテンツを自動的に可搬型記録媒体に複製することができる。
【図面の簡単な説明】
【００１７】
【図１】録画装置の外観を示す概念図である。
【図２】録画装置の内部構成を示すブロック図である。
【図３】録画装置が放送番組を録画する処理の手順を示すフローチャートである。
【図４】ディスクとドライブ記録部との間で同期を取る前のデータに関する説明図である。
【図５】ディスクとドライブ記録部との間で同期を取った後のデータに関する説明図である。
【図６】同期前後での記録領域に記録された録画データに関する説明図である。
【図７】自動編集処理及び自動同期処理の手順を示すフローチャートである。
【図８】ディスクとドライブ記録部との間で同期を取る前のデータに関する他例の説明図である。
【図９】ディスクとドライブ記録部との間で同期を取った後のデータに関する他例の説明図である。
【図１０】自動編集処理及び自動同期処理の他例の手順を示すフローチャートである。
【発明を実施するための形態】
【００１８】
以下、本発明の一実施例における記録装置を、実施の形態を示す図面に基づいて説明する。本実施の形態に係る記録装置は、例えばＢＤレコーダ、ＤＶＤレコーダ、ハードディスクレコーダ等を含む。以下では、記録装置の一例として、録画装置を挙げて説明する。
なお、本発明は、以下の実施の形態に限定されるものではない。
【００１９】
実施の形態１
図１は、録画装置１の外観を示す概念図である。リモコン（リモートコントロール）Ｒにより操作される録画装置１は、例えばテレビ放送、ケーブルテレビ放送、インターネット放送等を記録する。録画装置１には、ＴＶ（テレビジョン）受像機４が接続されている。録画装置１は、記録した放送内容を示す映像信号及び音声信号をＴＶ受像機４に出力する。ＴＶ受像機４は、例えばバックライト及び液晶パネルを含む液晶テレビである。ＴＶ受像機４は、受け付けた映像信号に基づく映像を表示し、受け付けた音声信号に基づく音声を出力する。
なお、図１の例では録画装置１とＴＶ受像機４とが別体である場合を示しているが、録画装置１とＴＶ受像機４とが一体になった形態であってもよい。
【００２０】
図２は、録画装置１の内部構成を示すブロック図である。録画装置１は、ドライブ装置２及びバックエンド装置３を含む。
ドライブ装置２は、ディスクドライブ（複製手段）２１、ドライブ記録部（記録手段）２２、ドライブ制御部２３及びインタフェース部２４を含む。
【００２１】
ディスクドライブ２１には、ＤＶＤ、ＢＤ等の可搬性を有するディスクＤが着脱可能に挿入される。ディスクドライブ２１は、ディスクＤに記録された映像データを読み出し、バックエンド装置３に出力する。ディスクドライブ２１は、自身に入力された映像データを挿入されたディスクＤに記録する。
なお、録画の形態は、ディスクドライブ２１を用いてディスクＤに映像データを記録することに限らない。例えば、録画の形態は、ディスクドライブ２１の代りに携帯型のハードディスク、メモリカード又はフラッシュメモリ等をドライブ装置２に接続あるいは内蔵する形態であってもよい。
【００２２】
ディスクＤは、固有のディスクＩＤを有する。ディスクＩＤは、例えばディスクＤの製造時にディスクＤに記録される製造番号、シリアル番号等である。
なお、ディスクＤの識別情報は、ディスクＤの製造時にディスクＤに予め記録されるディスクＩＤに限らない。例えば、録画装置１は、記録媒体に該記録媒体の識別情報を書き込む手段を備えていてもよい。この場合の識別情報として、ディスクの所有者名とシーケンス番号とを結合したもの、タイムスタンプ等、様々なものが利用されてよい。
【００２３】
ドライブ記録部２２は、ＥＥＰＲＯＭ（Electrically Erasable and Programmable ROM）、フラッシュメモリ、ＦｅＲＡＭ（Ferroelectric RAM）等の不揮発性メモリ又はハードディスクで構成されている。ドライブ記録部２２の記録容量は、例えばＢＤの記録容量の２倍である。
【００２４】
ドライブ記録部２２には、ディスクＤのディスクＩＤに関連付けて、そのディスクＤの所有者名及びコンテンツを記録することができる記録領域２２ａがバックエンド装置３により用意される。ディスクＩＤと関連付けられた記録領域２２ａは、そのディスクＩＤが記録されたディスクＤと１対１の関係で管理される。従って、記録領域２２ａの数は、ディスクＤの枚数と同数である。
【００２５】
また、ディスクＩＤに関連付けられた記録領域２２ａには、記録されるコンテンツの例えばタイトル、再生時間、放送時間、番組情報及びコンテンツデータの一部又は全部も記録される。ここでのコンテンツデータの一部とは、例えばコンテンツの番組開始から一定時間番組映像をリピート再生することが可能なデータである。当該データは、ＴＶ受像機４にコンテンツに係る映像のサムネイルを一覧表示することに使用される。
なお、記録領域２２ａ又はディスクＤに新規データが記録された場合、記録領域２２ａとそのディスクＩＤが記録されたディスクＤとの間で、データの不整合が生じないように同期処理が施される。
【００２６】
ドライブ制御部２３は、ＣＰＵ（Central Processing Unit）、ＭＰＵ（Micro Processor Unit）等のプロセッサであり、ドライブ装置２の各構成部を制御する。
インタフェース部２４は、ＳＡＴＡ（Serial Advanced Technology Attachment）規格又はＡＴＡ（Serial Advanced Technology Attachment）規格のインタフェースであり、バックエンド装置３と接続されている。
ドライブ装置２は、インタフェース部２４を介してバックエンド装置３との間でデータの交換をする。ドライブ装置２の各構成部は、システムバス２ｂ上に接続されており、ドライブ制御部２３の指示により、データの受け渡しが行われる。
【００２７】
バックエンド装置３は、デジタルチューナ３１、エンコーダ３２及びストリーム処理部３３を含む。
デジタルチューナ３１は、外部のアンテナＡが受信したＢＳ（放送衛星）デジタル放送、ＣＳ（通信衛星）デジタル放送、地上デジタル放送等の放送信号を受け付ける。デジタルチューナ３１は、受け付けた放送信号の内、選局されたチャンネル即ち特定の周波数帯の放送信号をＭＰＥＧ（Moving Picture Experts Group）−２ＴＳ（Transport Stream）等のデジタルのストリームデータに変換する。
【００２８】
エンコーダ３２は、外部の再生装置、ネットワークにより接続されたサーバ装置、ケーブルテレビの回線等から映像信号及び音声信号を受け付ける。エンコーダ３２は、外部から受け付けた映像信号及び音声信号をＭＰＥＧ−２ＰＳ（Program Stream）、ＭＰＥＧ−２ＴＳ等のデジタルのストリームデータにエンコードする処理を行う。
【００２９】
ストリーム処理部３３は、デジタルチューナ３１及びエンコーダ３２に接続されており、デジタルチューナ３１及びエンコーダ３２からストリームデータを受け付ける。ストリーム処理部３３は、受け付けたストリームデータに対してデジタル放送用のスクランブルを解除する処理等のデータ処理を施す。
【００３０】
ストリーム処理部３３は、受け付けたストリームデータに係るコンテンツを視聴する場合、データ処理を施したストリームデータを後述するデコーダ３６に出力する。また、ストリーム処理部３３は、受け付けたストリームデータに係るコンテンツを記録する場合、データ処理を施したストリームデータをドライブ装置２に出力する。
ストリーム処理部３３からデコーダ３６への出力と、ストリーム処理部３３からドライブ装置２への出力とは、両方同時に実行されてもよく、何れか一方のみが実行されてもよい。また、デコーダ３６へ出力されるストリームデータと、ドライブ装置２へ出力されるストリームデータとは、同じであってもよいし、異なっていてもよい。
【００３１】
バックエンド装置３は、バックエンド制御部（複製手段、検出手段、判定手段、残容量検出手段、記録判定手段、削除する手段）３４、バックエンド記録部３５、デコーダ３６、映像処理部３７及びインタフェース部３８を含む。
バックエンド制御部３４は、ＣＰＵ、ＭＰＵ等のプロセッサであり、バックエンド装置３の各構成部を制御する。
バックエンド記録部３５は、不揮発性メモリ及び揮発性メモリから構成され、バックエンド制御部３４が実行するプログラム、作業変数、一時的な情報及び恒常的な情報を記録する。バックエンド記録部３５が記録する情報は、例えば番組録画の予約情報、ドライブ記録部２２が記録するデータの管理情報等である。
【００３２】
デコーダ３６は、ストリーム処理部３３又はドライブ装置２からストリームデータを受け付ける。デコーダ３６は受け付けたストリームデータを映像信号及び音声信号にデコードし、デコードした映像信号及び音声信号を映像処理部３７に出力する。デコーダ３６は、ドライブ装置２からディスクＩＤに関連付けられたサムネイル用のストリームデータを受け付けた場合、受け付けたストリームデータをサムネイル用の映像信号にデコードし、デコードした映像信号を映像処理部３７に出力する。
なお、サムネイルは縮小画像であるため、画質を落としても視聴者には目立たない。そこで、サムネイル用の映像データは、画素数を少なくする等の間引き処理を施してもよい。
【００３３】
映像処理部３７は、デコーダ３６から映像信号及び音声信号を受け付け、受け付けた映像信号に対して画素の補間又は色調整等の画像処理を実行する。映像処理部３７は、画像処理を施した映像信号及び音声信号を図示しないインタフェースを介して、外部のＴＶ受像機４に出力する。また、映像処理部３７は、デコーダ３６からサムネイル用の映像信号を受け付けた場合、ディスクＩＤ毎にまとめられたサムネイルを一覧表示するための映像信号を生成し、外部のＴＶ受像機４に出力する。
【００３４】
インタフェース部３８は、ＳＡＴＡ規格又はＡＴＡ規格のインタフェースであり、ドライブ装置２と接続されている。
バックエンド装置３は、インタフェース部３８を介してドライブ装置２との間でデータの交換をする。
【００３５】
バックエンド装置３は、計時部３９及び受信部４０を含む。
計時部３９は、時刻、日付及び曜日を計時する。
受信部４０は、外部のリモコンＲから、例えば赤外線方式、Ｂｌｕｅｔｏｏｔｈ（登録商標）方式、ＲＦ(Radio Frequency)方式等により、各種操作に係る信号を受信し、受信した信号をバックエンド制御部３４に出力する。
ストリーム処理部３３、バックエンド制御部３４、バックエンド記録部３５、デコーダ３６、インタフェース部３８及び計時部３９は、システムバス３ｂ上に接続されており、バックエンド制御部３４の指示により、データの受け渡しが行われる。
【００３６】
バックエンド制御部３４は、受信部４０を介してリモコンＲから受信した信号に基づいて、ドライブ装置２の各構成部を制御する制御信号をドライブ装置２のドライブ制御部２３に出力する。ドライブ制御部２３は、バックエンド制御部３４から出力された制御信号を受け付け、受け付けた制御信号に基づいてドライブ装置２の各構成部を制御する。即ち、バックエンド制御部３４は、ドライブ装置２の各構成部を間接的に制御する。
【００３７】
なお、ドライブ装置２の制御は、バックエンド制御部３４とドライブ制御部２３とが協働して行われる構成に限るものではない。例えば、ドライブ記録部２２に対する各種データの入出力を、バックエンド制御部３４がドライブ制御部２３を介さずに直接的に実行する構成でもよい。あるいは、ドライブ制御部２３はなくてもよい。
録画装置１は、ドライブ記録部２２とバックエンド記録部３５との２つの記録部を備えているが、一方の記録部が他方の記録部の役割を兼任することにより、ドライブ記録部２２とバックエンド記録部３５との何れか一方はなくてもよい。
【００３８】
次に、録画装置１の動作について説明する。
まず、ドライブ記録部２２に記録領域２２ａが生成される処理について説明する。
ディスクＤがディスクドライブ２１に挿入された場合、ドライブ制御部２３は挿入されたディスクＤからディスクＩＤを読み出す。ドライブ制御部２３は、読み出したディスクＩＤをバックエンド制御部３４に出力する。バックエンド制御部３４は、受け付けたディスクＩＤに対応する記録領域２２ａをドライブ記録部２２から検索する。バックエンド制御部３４は、読み出したディスクＩＤに対応する記録領域２２ａが見つからない場合、新規のディスクＤがディスクドライブ２１に挿入されたと判定し、新規のディスクＤのディスクＩＤに対応する記録領域２２ａをドライブ記録部２２に作成する。また、バックエンド制御部３４により、リモコンＲから入力された新規のディスクＤの所有者名が新規のディスクＩＤに対応する記録領域２２ａに記録される。
【００３９】
次に、自動編集処理の前に行われる録画装置１の録画処理について説明する。
図３は、録画装置１が放送番組を録画する処理の手順を示すフローチャートである。図３は、放送番組を予約録画する処理の手順を示しているが、通常の録画処理も基本的に同じ処理が行われる。
なお、放送番組の録画処理は、録画装置１がコンテンツを録画する処理の一例であり、録画装置１により記録されるコンテンツが放送番組に限らないことは勿論である。
【００４０】
バックエンド制御部３４は、バックエンド記録部３５に記録された予約情報及び計時部３９の計時に基づいて、番組録画の準備を開始する。
【００４１】
バックエンド制御部３４は、録画予約を設定したユーザと対応する記録領域２２ａに番組映像を録画する（ステップＳ１０１）。バックエンド制御部３４は、記録領域２２ａに、録画した番組のコンテンツ情報を記録し（ステップＳ１０２）、処理を終了する。コンテンツ情報は、例えばタイトル、再生時間、放送日時及び番組情報である。
【００４２】
このように、番組映像はドライブ記録部２２の記録領域２２ａに録画される。そのためユーザは、予約録画の設定をしたにもかかわらず、ディスクドライブ２１にディスクＤを挿入し忘れた場合であっても、番組映像の録画に失敗することはない。
【００４３】
ドライブ記録部２２の記録容量は有限であり、録画されるコンテンツの記録容量も有限である。そのため、コンテンツの録画数が増え、ドライブ記録部２２の残容量が所定値より少なくなった場合、ドライブ記録部２２の記録領域２２ａにコンテンツを録画できない状態が発生する。これを防止するため、バックエンド制御部３４はディスクＤがディスクドライブ２１に挿入された場合、記録領域２２ａに記録されたコンテンツをディスクＤに移動する編集処理を実行する。すなわち、バックエンド制御部３４は、ドライブ記録部２２の残容量が所定値以下になった場合、ディスクＤがディスクドライブ２１に挿入されたとき、ディスクＤに対応する記録領域２２ａに記録されている最も古いコンテンツをディスクＤへ移動する。この自動編集処理は、ユーザからの指示なしに、バックエンド制御部３４により自動的に実行される。
【００４４】
なお、上述の自動編集処理を実行する条件の１つである所定値は、ドライブ記録部２２の記録容量の２分の１でもよいし、４分の１でもよく、特定の値に限らない。この所定値は、ドライブ記録部２２及びディスクＤの各記録容量を考慮し、ユーザが予め設定できるようにしてもよい。
【００４５】
図４は、ディスクＤとドライブ記録部２２との間で同期を取る前のデータに関する説明図である。図５は、ディスクＤとドライブ記録部２２との間で同期を取った後のデータに関する説明図である。なお、図４及び図５では、図３におけるステップＳ１０２の処理は実行されなかったものとする。
【００４６】
同期前、ディスクＩＤ＝１の記録領域２２ａには、Ａ、Ｂ〜Ｘのコンテンツ情報、Ａ、Ｂ〜Ｘのサムネイル用ストリーム及びＹの新規録画データが記録されている。一方、ディスクＩＤ＝１のディスクＤには、Ａ、Ｂ〜Ｘまでの録画データが記録されているが、Ｙの録画データは記録されていない。
自動編集処理及び自動同期処理により、Ｙのコンテンツ情報が作成され、作成されたＹのコンテンツ情報が記録領域２２ａに記録される。また、自動編集処理及び自動同期処理により、コンテンツＹの新規録画データは記録領域２２ａからディスクＤへ複製され、記録領域２２ａからコンテンツＹの新規録画データが削除される。ただし、ドライブ記録部２２にＹのサムネイル用ストリームが残るように、Ｙのストリームデータの先頭部分を残し、他の部分についてＹの新規録画データが削除される。
同期後、ディスクＩＤ＝１の記録領域２２ａには、Ａ、Ｂ〜Ｘ、Ｙのコンテンツ情報及びＡ、Ｂ〜Ｘ、Ｙのサムネイル用ストリームが記録されている。しかし、ディスクＩＤ＝１の記録領域２２ａには、Ｙの新規録画データは記録されていない。一方、ディスクＩＤ＝１のディスクＤには、Ａ、Ｂ〜Ｘ、Ｙの録画データが記録されている。
【００４７】
図６は、同期前後での記録領域２２ａに記録された録画データに関する説明図である。なお、図６では、図３におけるステップＳ１０２が実行された場合を扱っている。
【００４８】
ステップＳ１０２が実行されたことにより、図６の同期前及び同期後において、ドライブ記録部２２の記録領域２２ａにコンテンツ情報が保持されている点は変わらない。同期前、新規録画コンテンツが記録領域２２ａに記録されている。自動編集処理により、記録領域２２ａに記録された新規録画コンテンツのストリームデータは、ディスクＤに複製される。また、ドライブ記録部２２に記録された新規録画コンテンツのストリームデータは、サムネイル用のストリームデータを残し、他の部分のストリームデータは削除されている。
自動編集処理及び自動同期処理により、記録領域２２ａからディスクＤに録画データを複製した場合、記録領域２２ａに記録されたデータを削除することにより、ドライブ記録部２２の記録可能な残容量を増大させることができる。
【００４９】
図７は、自動編集処理及び自動同期処理の手順を示すフローチャートである。図７では、図３におけるステップＳ１０２が実行された場合を扱っている。
バックエンド制御部３４は、ディスクＤがディスクドライブ２１に挿入された場合、ディスクＤからディスクＩＤを読み出す（ステップＳ２０１）。バックエンド制御部３４は、読み出したディスクＩＤをバックエンド記録部３５に記録する（ステップＳ２０２）。
バックエンド制御部３４は、ドライブ記録部２２の残容量を検出する（ステップＳ２０３）。バックエンド制御部３４は、検出したドライブ記録部２２の残容量が所定値より少ないか否か判定する（ステップＳ２０４）。バックエンド制御部３４は、検出したドライブ記録部２２の残容量が所定値より少なくないと判定した場合（ステップＳ２０４：ＮＯ）、処理を終了する。バックエンド制御部３４は、検出したドライブ記録部２２の残容量が所定値より少ないと判定した場合（ステップＳ２０４：ＹＥＳ）、挿入されたディスクＤに対応する記録領域２２ａに記録されたコンテンツの内、最も古いコンテンツを特定する（ステップＳ２０５）。バックエンド制御部３４は、特定した最も古いコンテンツをディスクＤに複製する（ステップＳ２０６）。バックエンド制御部３４は、サムネイル用ストリームを残して記録領域２２ａから複製に係るコンテンツを削除し（ステップＳ２０７）、処理を終了する。
【００５０】
なお、ステップＳ２０４とステップＳ２０５との間に、挿入されたディスクＤに対応する記録領域２２ａにコンテンツが記録されていない場合、処理を終了するステップを挿入してもよい。
ステップＳ２０７は、ステップＳ２０６と並列的に実行されてもよいし、ステップＳ２０６の終了部分と一部が重なるタイミングで並列的に実行されてもよい。
ステップＳ２０７において、バックエンド制御部３４は記録領域２２ａから複製に係るコンテンツを削除せず、残されるサムネイル用ストリーム以外の記録領域２２ａの部分に上書きを許可するマーキングを施してもよい。すなわち、ここでの複製とは、所謂移動及びコピーの両者を含む広義の複製である。
【００５１】
ディスクＤとドライブ記録部２２との間でのデータの同期には、他にも様々な態様があり得る。それは、図３に示した放送番組録画処理おいて、どのような処理を実行するかということに関わる。
図８は、ディスクＤとドライブ記録部２２との間で同期を取る前のデータに関する他例の説明図である。図９は、ディスクＤとドライブ記録部２２との間で同期を取った後のデータに関する他例の説明図である。図８及び図９では、図３におけるステップＳ１０２の前又は後に、記録領域２２ａに番組開始から例えば３０秒分のサムネイル用ストリームを録画する処理を挿入した場合を扱っている。
【００５２】
同期前、ディスクＩＤ＝１の記録領域２２ａには、Ａ、Ｂ〜Ｙのコンテンツ情報、Ａ、Ｂ〜Ｙのサムネイル用ストリーム及びＹの新規録画データが記録されている。一方、ディスクＩＤ＝１のディスクＤには、Ａ、Ｂ〜Ｘまでの録画データが記録されているが、Ｙの録画データは記録されていない。
自動編集処理及び自動同期処理により、Ｙの新規録画データはドライブ記録部２２からディスクＤへ複製され、ドライブ記録部２２からＹの新規録画データが削除される。
同期後、ディスクＩＤ＝１の記録領域２２ａには、Ａ、Ｂ〜Ｙのコンテンツ情報及びＡ、Ｂ〜Ｙのサムネイル用ストリームが記録されている。しかし、ディスクＩＤ＝１の記録領域２２ａには、Ｙの新規録画データは記録されていない。一方、ディスクＩＤ＝１のディスクには、Ａ、Ｂ〜Ｙの録画データが記録されている。
【００５３】
録画装置１によれば、ドライブ記録部２２の記録領域２２ａとディスクＤとの間でデータの複製処理を自動的に行うことができる。
例えば、ハードディスクを備えた他の録画装置の場合、ハードディスクに録画した番組映像を他の記録媒体に保存するときには、ダビング操作が必要となる。しかし、録画装置１によれば、かかるダビングの手間を省くことができる。即ち、録画装置１によれば、自動的に記録領域２２ａからディスクＤへコンテンツのダビングが行われる。
【００５４】
録画装置１によれば、記録領域２２ａに記録されたコンテンツの映像データをディスクＤに複製する場合、映像データの移動中又は映像データの移動後、あるいは映像データの移動中から移動後にかけて、記録領域２２ａから移動対象のコンテンツの映像データが削除される。この自動ダビングともいえる機能により、ドライブ記録部２２の残容量を増大させることができる。しかも、ドライブ記録部２２から削除される映像データは全てではなく、サムネイル用の映像データを除いた一部が削除される。そのため、サムネイル用の映像データが録画装置１に残ることになる。これにより、ユーザはディスクドライブ２１にディスクＤを入れなくてもコンテンツの映像をサムネイルとして表示することができ、ディスクＤなしで、ディスクＤに記録したコンテンツを確認することができる。
【００５５】
年配ユーザを中心に、ハードディスクへの録画という概念がわからない、ディスクＤの扱いがわからない等、ＡＶ機器の簡単な操作を実現し難い課題が存在する。しかし、録画装置１によれば、ディスクＩＤをドライブ記録部２２の記録領域２２ａに登録しさえすれば、コンテンツを記録領域２２ａに録画することができるので、その後一切ディスクＤの取り扱いをしなくてもコンテンツを楽しむことが可能である。しかも、ユーザは記録領域２２ａに記録されたコンテンツがディスクＤに録画されているかのように感じるため、ＡＶ機器の扱いに不慣れなユーザに対しても、優れた操作性を提供することができる。上述の自動ダビング機能は、この優れた操作性を担保するものである。
【００５６】
本実施の形態では、記録領域２２ａに記録されている最も古いコンテンツをディスクＤに複製した。しかし、記録領域２２ａに記録されている最も古いコンテンツは、記録領域２２ａからディスクＤに複製されるコンテンツの一例である。記録領域２２ａからディスクＤに複製されるコンテンツは、記録領域２２ａに記録されている最も新しいコンテンツでもよい。また、複製に係るコンテンツは、記録領域２２ａに記録されている最も記録容量の多いコンテンツ、又は最も記録容量の少ないコンテンツでもよい。あるいは、複製に係るコンテンツを特定する規則をユーザが予めファイル等に記録しておき、バックエンド制御部３４は当該ファイル等を参照して、複製に係るコンテンツを特定してもよい。
さらに、以下の形態であってもよい。ドライブ記録部２２の残容量が所定値より多い場合に、記録領域２２ａに記録された各コンテンツについて未視聴及び視聴済みの２つのステータスを記録しておく。バックエンド制御部３４は、複製に係るコンテンツを未視聴又は視聴済みのコンテンツから特定するとしてもよい。
【００５７】
実施の形態２
実施の形態２は、挿入されたディスクＤの残容量が記録領域２２ａに記録された最も古いコンテンツの記録容量より少ない場合の自動編集処理に関する。
【００５８】
挿入されたディスクＤの記録容量が複製するコンテンツの記録容量より少ない場合、バックエンド制御部３４はディスクＤに対応する記録領域２２ａに記録されたコンテンツを検索し、ディスクＤの残容量より少ない記録容量のコンテンツを選択する。バックエンド制御部３４は、選択したコンテンツの内、最も古いコンテンツを自動的にディスクＤに複製する。また、バックエンド制御部３４は、ディスクＤの記録容量に余裕がある場合、さらに複製可能なコンテンツを選択し、ディスクＤに複製する。バックエンド制御部３４は、この動作をディスクＤの記録容量を確認して、複製可能なコンテンツがなくなるまで繰り返す。
【００５９】
図１０は、自動編集処理及び自動同期処理の他例の手順を示すフローチャートである。
バックエンド制御部３４は、ディスクＤがディスクドライブ２１に挿入された場合、ディスクＤからディスクＩＤを読み出す（ステップＳ３０１）。バックエンド制御部３４は、読み出したディスクＩＤをバックエンド記録部３５に記録する（ステップＳ３０２）。バックエンド制御部３４は、ドライブ記録部２２の残容量を検出する（ステップＳ３０３）。バックエンド制御部３４は、検出したドライブ記録部２２の残容量が所定値より少ないか否か判定する（ステップＳ３０４）。バックエンド制御部３４は、検出したドライブ記録部２２の残容量が所定値より少なくないと判定した場合（ステップＳ３０４：ＮＯ）、処理を終了する。
【００６０】
バックエンド制御部３４は、検出したドライブ記録部２２の残容量が所定値より少ないと判定した場合（ステップＳ３０４：ＹＥＳ）、ディスクＤの残容量を検出する（ステップＳ３０５）。バックエンド制御部３４は、ディスクＤの残容量より少ない記録容量を有するコンテンツが記録領域２２ａに記録されているか否か判定する（ステップＳ３０６）。バックエンド制御部３４は、ディスクＤの残容量より少ない記録容量を有するコンテンツが記録領域２２ａに記録されていると判定した場合（ステップＳ３０６：ＹＥＳ）、当該判定に合致し、かつ最も古いコンテンツを特定する（ステップＳ３０７）。バックエンド制御部３４は、特定した最も古いコンテンツをディスクＤに複製する（ステップＳ３０８）。バックエンド制御部３４は、サムネイル用ストリームを残して記録領域２２ａから複製に係るコンテンツを削除し（ステップＳ３０９）、処理をステップＳ３０３に戻す。
【００６１】
バックエンド制御部３４は、ディスクＤの残容量より少ない記録容量を有するコンテンツが記録領域２２ａに記録されていないと判定した場合（ステップＳ３０６：ＮＯ）、処理を終了する。
【００６２】
なお、バックエンド制御部３４は、ディスクＤの残容量より少ない記録容量を有するコンテンツが記録領域２２ａに記録されていないと判定した場合（ステップＳ３０６：ＮＯ）、処理を終了せずに、以下の処理を追加してもよい。その追加処理は、新規のディスクＤをディスクドライブ２１に挿入する指示を提示し、ステップＳ３０５に戻る処理である。
【００６３】
録画装置１によれば、ディスクＤの残容量を考慮し、ディスクＤに複製するコンテンツをディスクＤに対応する記録領域２２ａに記録されたコンテンツから特定する。これにより、コンテンツ単位での複製が可能となり、コンテンツの一部データだけがディスクＤに複製されることを回避することができる。また、複製可能なコンテンツが記録領域２２ａからなくなるまで、複製処理が自動的に繰り返されるので、ディスクドライブ２１へのディスクＤの挿入操作を逐一繰り返す手間が軽減される。さらに、自動的な複製処理の繰り返しは、記録可能なドライブ記録部２２の記録容量を効率的に増大することができる。
【００６４】
実施の形態２は以上の如きであり、その他は実施の形態１と同様であるので、対応する部分には同一の参照番号を付してその詳細な説明を省略する。
【符号の説明】
【００６５】
１      録画装置
２１    ディスクドライブ
２２    ドライブ記録部
２２ａ  記録領域
３４    バックエンド制御部
Ｄ      ディスク
【図１】
2012094221.tif 000003
【図２】
2012094221.tif 000004
【図３】
2012094221.tif 000005
【図４】
2012094221.tif 000006
【図５】
2012094221.tif 000007
【図６】
2012094221.tif 000008
【図７】
2012094221.tif 000009
【図８】
2012094221.tif 000010
【図９】
2012094221.tif 000011
【図１０】
2012094221.tif 000012